(57)【要約】【課題】  アラーム音を、マナーモードや消音モード下でも通常通り自動的に発生させたい。【解決手段】  ステップＳ２１で設定したアラーム時刻に達すると、その時の使用形態がマナーモードまたは消音モードであっても、ステップＳ２２で判定手段が携帯電話機のアラーム機能を目覚まし時計として使用していると判断した場合、ステップＳ２３で強制鳴動手段が作動してサウンダ部１３からアラーム音を強制的に鳴らす。【選択図】  図３
2008256724.tif 000002
【特許請求の範囲】
【請求項１】
アラーム時刻を記憶するメモリ部と、このメモリ部に記憶したアラーム設定時刻に達したとき所定のアラーム通知を行う通知手段とを備えた携帯電話機であって、
アラーム設定時刻になると、所定のアラーム音の鳴動によりアラーム通知を行い、その後、キーの操作がなされた場合はアラーム音を停止し、キーの操作がなされなかった場合は、アラーム音が一定時間を越えた場合にアラーム音を停止し、一定時間経過後に再度アラーム音を鳴動させることを特徴とする携帯電話機。
【発明の詳細な説明】
【技術分野】
【０００１】
本発明は、設定したアラーム時刻にアラーム音等を生じさせてアラーム通知を行なう携帯電話機のアラーム通知装置に関する。
【背景技術】
【０００２】
従来のアラーム機能を持った携帯電話機では、設定した所定のアラーム時刻にアラーム通知を行なうアラーム通知装置を備えており、このアラーム通知装置によるアラーム通知は、サウンダ部によるアラーム音、もしくはバイブレータによる振動、あるいはＬＥＤ部による点灯によって行なうように構成している。これらのアラーム通知の選択は、アラーム時刻での携帯電話機の使用形態によって決定され、例えばマナーモードまたは消音モードで使用していた場合、アラーム音は鳴らずにバイブレータによる振動およびＬＥＤ部による点灯によって行なうのが一般的である。
【発明の開示】
【発明が解決しようとする課題】
【０００３】
しかしながら、上述した従来の携帯電話機のアラーム通知装置は、その設定したアラーム時刻に携帯電話機をマナーモードまたは消音モードで使用していた場合、その使用形態ではアラーム音が鳴らないため、普段、マナーモードまたは消音モードで携帯電話機を使用している人が、携帯電話機のアラーム機能を目覚まし時計として使用する場合、少なくても設定したアラーム時刻ではマナーモードまたは消音モードを解除しなければならなかった。一方、携帯電話機のアラーム通知装置では、設定したアラーム時刻に鳴っているアラーム音を携帯電話機のキーの内のいずれか一つを一度押すことで停止できるが、専用の目覚まし時計では、ある特定のスイツチを押すことによってのみ停止できる構成であるため、携帯電話機のアラーム機能を目覚まし時計として使用するには機能的に物足りなく感じることがあった。
【０００４】
本発明の目的は、携帯電話機の使用形態に拘わらずアラーム設定時刻にアラーム音を生じさせることができるようにした携帯電話機のアラーム通知装置を提供するにある。
【課題を解決するための手段】
【０００５】
本発明は上記目的を達成するために、アラーム時刻を記憶するメモリ部と、このメモリ部に記憶したアラーム時刻に達したとき所定のアラーム通知を行なう通知手段とを備え、この通知手段のアラーム通知は、サウンダ部からのアラーム音と、このアラーム音以外のその他通知によって行なうように構成した携帯電話機のアラーム通知装置において、上記アラーム音によるアラーム通知の設定かどうかを判定する判定手段と、この判定手段が上記アラーム音によるアラーム通知の設定と判定した場合、上記アラーム時刻に達したとき上記通知手段の設定されたアラーム通知に拘わらず上記サウンダ部からアラーム音を発する強制鳴動手段とを設けたことを特徴とする。
【０００６】
また、本発明は、強制鳴動手段を予め設定した暗証番号を入力したときに解除するアラーム解除手段を設けたことを特徴とする。
また、本発明は、強制鳴動手段によるアラーム音の鳴動が一定時間を超えた場合にそれを自動停止させる自動停止手段を設けたことを特徴とする。
【０００７】
本発明による携帯電話機は、アラーム機能で設定したアラーム時刻に達したときに、目覚まし設定等のようにアラーム音によるアラーム通知の設定であるかどうかを判定手段で判断し、その結果が特定状況であれば、その時の携帯電話機の使用形態がマナーモードまたは消音モードであるかに拘わらず、強制鳴動手段によって強制的にアラーム音を鳴らすようにしたため、通常、携帯電話機をマナーモードで使用していても、従来のように目覚ましなどのアラーム機能に合わせてマナーモードまたは消音モードをその都度解除することなく、所望のアラーム音を得ることができる。
【発明の効果】
【０００８】
本発明による携帯電話機は、アラーム機能で設定したアラーム時刻に達したときに、目覚まし設定等のアラーム音で知らせる設定であるかどうかを判定手段で判断し、その時の携帯電話機の使用形態がマナーモードまたは消音モードであるかに拘わらず、強制鳴動手段によって強制的にアラーム音を鳴らすことができ、通常、携帯電話機をマナーモードで使用していても、従来のように目覚ましなどのアラーム機能に合わせてマナーモードまたは消音モードをその都度解除することなく、アラーム音を得ることができる。このような機能の付加により、携帯電話機の利用者にとってその使い勝手が向上する。
【発明を実施するための最良の形態】
【０００９】
以下、本発明の実施の形態を図面に基づいて説明する。図１は、本発明の一実施の形態による携帯電話機のアラーム通知装置を示すブロック構成図である。各部を制御する主制御部７には、送受信回路を含む無線部２を介してアンテナ１と、音声信号処理を行なう音声回路部３を介して送受話を行なうマイク４およびスピーカ５と、各種の設定データ等を記憶しているメモリ部６と、アラーム時刻の検出を行なう時計部９と、種々の情報を表示する表示部１０と、入力操作を行なう操作部１１と、表示部１０および操作部１１のバックライトとなる照明部１２と、呼出音を鳴らすサウンダ部１３と、バイブレータ１４と、着信時またはサウンダ部１３の鳴動時等に点灯するＬＥＤ部８とが接続されている。
【００１０】
ここでの詳細な図示は省略しているが、サウンダ部１３とバイブレータ１４とＬＥＤ部８によって後述するアラーム通知を行なう通知手段を構成し、主制御部７などによって後述する判定手段を構成し、主制御部７と時計部９とサウンダ部１３などによってアラーム時刻に達したとき通知手段の予め設定されたアラーム通知に拘わらずサウンダ部１３からアラーム音を発する強制鳴動手段、強制鳴動手段によるアラーム音を解除するアラーム解除手段、また強制鳴動手段が作動中に所定の時間が経過してもアラーム解除手段が操作されないときに強制鳴動手段の鳴動を停止する自動停止手段が構成されている。
【００１１】
携帯電話機の各種機能は、表示部１０を設定内容の表示等に用いながら操作部１１のキー入力によって設定を行なうことができる。例えば、操作部１１のキー入力によってアラーム時刻を設定することができ、そのアラーム時刻は主制御部７によりメモリ部６に格納され、時計部９が設定したアラーム時刻に達したことを検出するとアラーム通知を行なうが、このアラーム通知はサウンダ部１３による所定のアラーム音、バイブレータ１４による振動、ＬＥＤ部８による点灯などからの選択や組み合わせによって行なわれる。
【００１２】
図２は、アラーム時刻の設定時における表示部１０の変化を示す正面図である。先ず、表示部１０のメニュー画面Ｓ１１の中からアラーム設定を選択すると、表示部１０はアラーム設定画面Ｓ１２となる。ここで目覚まし設定とは、携帯電話機がアラーム設定時刻になったとき、マナーモードまたは消音モードの場合でもアラーム音を強制的に鳴らす設定であり、通常設定とは、携帯電話機がアラーム設定時刻になったとき、マナーモードまたは消音モードの場合、アラーム音を鳴らさない設定である。ここでは目覚まし設定を選択すると時刻設定画面Ｓ１３となり、年月日および時刻をキー操作で入力し、西暦２００１年１月１日１２時００分を設定し確定する。すると、表示部１０はアラーム音設定画面Ｓ１４となり、任意の着信音を選定すると、確定画面Ｓ１５のように所定条件でアラームが設定され、主制御部７によりメモリ部６に格納される。
【００１３】
図３は、図１に示した携帯電話機におけるアラーム通知動作を示すフローチャートである。先ず、図２で説明したアラーム時刻の設定に続いて、ステップＳ２１で時計部９により設定したアラーム時刻になったかどうかを判断する。その結果、アラーム時刻に達していたなら、ステップＳ２２で判定手段が機能して目覚まし設定か通常設定かを判断し、目覚まし設定の場合にはステップＳ２３で強制鳴動手段が作動して強制的にサウンダ部１３からアラーム音を鳴らす。
【００１４】
次に、ステップＳ２４でバイブレータ１４の設定の有無を判断し、その結果、バイブレータ１４が設定されている場合には、ステップＳ２５でバイブレータ１４を駆動し、ステップＳ２６でＬＥＤ部８の点灯を行なう。一方、ステップＳ２４の判定の結果、バイブレータ１４が設定されていない場合には、直接ステップＳ２６でＬＥＤ部８の点灯を行なう。
【００１５】
しかし、ステップＳ２２の判定で通常設定の場合には、ステップＳ３３およびステップＳ３４でマナーモードまたは消音モードかを判断する。ステップＳ３３の判定の結果、マナーモードであった場合にはステップＳ３７でバイブレータ１４の駆動を行ない、ステップＳ３６でＬＥＤ部８の点灯を行なう。またステップＳ３４の判定結果、消音モードの場合には直接ステップＳ３６に進んでＬＥＤ部８の点灯のみを行なう。一方、ステップＳ３３およびステップＳ３４の判定の結果、マナーモードまたは消音モードでもない場合、ステップＳ３５で普通にサウンダ部１３から通常のアラーム通知としてアラーム音を鳴らし、ステップＳ３６でＬＥＤ部８を点灯させる。
【００１６】
ステップＳ３６でＬＥＤ部８を点灯させた後にアラーム動作を解除するには、ステップＳ３９でいずれか一つのキー入力の有無を判断し、キー入力があったときにステップＳ３０でアラーム動作を解除する。またステップＳ３９でキー入力が無くても、ステップＳ３８で一定時間が経過したか否かを判定し、一定時間が経過したときにはステップＳ３０に進んでアラーム動作を自動的に解除する。
【００１７】
一方、ステップＳ２６でＬＥＤ部８を点灯させた後にアラーム動作を解除するには、ステップＳ２８でキー入力の有無を判断し、例えキー入力があったとしても、ステップＳ２９で携帯電話機の使用者が予め設定した暗証番号を押してアラーム解除手段が作動していない限り、アラーム動作が解除されない。つまり、ステップＳ２９で暗証番号が押されてアラーム解除手段が作動しないと、ステップＳ３２に進んでサウンダ部１３によるアラーム音およびバイブレータ１４を一時的に止めると共に、ＬＥＤ部８を一時的に消灯するが、ステップＳ３１で一定時間が経過した後、再びステップＳ２３に進み、上述の動作を繰り返してステップＳ２３で強制鳴動手段が作動してサウンダ部１３によるアラーム音が鳴り、ステップＳ２５でバイブレータ１４を駆動し、さらにステップＳ２６でＬＥＤ部８を点灯する。
【００１８】
従って、暗証番号が押されてアラーム解除手段が作動しない限り上述の動作を繰り返すことになり、ステップＳ２９で暗証番号が入力されて初めてステップＳ３０に進んでアラーム解除手段が作動してアラーム動作が解除される。しかし、アラーム解除手段が作動せず、ステップＳ２８のキー操作がないために強制鳴動手段によるアラーム音が継続した場合でも、ステップＳ２７で所定時間が計測されるとアラーム解除手段に拘わらず自動停止手段が作動し、この自動停止手段によってステップＳ３０でアラーム音およびバイブレータ１４を停止し、さらにＬＥＤ部８を消灯する。このようにして携帯電話の不所持の際の不必要なアラーム通知の継続を防止することができる。
【００１９】
このように上述した携帯電話機のアラーム通知装置では、ステップＳ２１で設定したアラーム時刻に達すると、その時の使用形態がマナーモードまたは消音モードであっても、ステップＳ２２で判定手段が携帯電話機のアラーム機能を目覚まし時計として使用していると判断した場合、ステップＳ２３で強制鳴動手段がサウンダ部１３からアラーム音を鳴らすようにしているため、目覚まし時計としての使用形態で、従来のようにアラーム時刻に合わせてマナーモードまたは消音モードを解除する必要がない。しかも、従来の携帯電話機のアラーム通知装置では、設定したアラーム時刻に鳴っているアラーム音を携帯電話機のキーの内のいずれかを一度押すことで停止できるが、上述した携帯電話機のアラーム通知装置ではステップＳ２９で暗証番号が押されてアラーム解除手段が作動したときだけ強制鳴動手段を停止できるようにしたため、携帯電話機のアラーム機能を目覚まし時計として使用していても通常の目覚まし時計と同様の機能を得ることができる。
【００２０】
尚、上述した実施の形態では、判定手段によってステップＳ２２で目覚まし設定か通常設定かを判定し、目覚まし設定の時にステップＳ２３で強制鳴動手段を作動させたが、携帯電話機の使用者によっては目覚まし設定に限らず、設定したアラーム時刻にアラーム音を発生されるよう強制鳴動手段を作動することも考えられるので、判定手段は目覚まし設定を含む特定の状況かどうかを判定するものであればよい。また上述した実施の形態では、目覚まし設定での強制鳴動手段を解除するアラーム解除手段は、ステップＳ２９で暗証番号が押されたかどうかによって判断して作動させたが、特定キーに割り付けたアラーム解除手段としてもほぼ同様の効果が得られる。
【図面の簡単な説明】
【００２１】
【図１】本発明の一実施の形態による携帯電話機のアラーム通知装置を示すブロック構成図である。
【図２】図１に示した携帯電話機のアラーム通知装置におけるアラーム時刻設定時の表示部の変化を示す正面図である。
【図３】図１に示した携帯電話機のアラーム通知装置の動作を示すフローチャートである。
【符号の説明】
【００２２】
３ 音声回路部
６ メモリ部
７  制御部
８ ＬＥＤ部
９ 時計部
１０ 表示部
１１ 操作部
１２ 照明部
１３ サウンダ部
１４ バイブレータ
【図１】
2008256724.tif 000003
【図２】
2008256724.tif 000004
【図３】
2008256724.tif 000005